(57)【特許請求の範囲】
【請求項１】
移動可能な脚ベースに支柱を支持させ、その支柱に輸液パックを取付けるための取付部を設けてなる点滴スタンドであって、
前記脚ベースが、前下方に延びるとともに前端部にキャスタを有する左右一対の前脚と、後下方に延びるとともに後端部にキャスタを有する左右一対の後脚と、前記前脚と後脚とを一体に連続させる連結部とを有し、
前脚、後脚、連結部の上面が滑らかに連続しているとともに、前脚、後脚、連結部の下面も滑らかに連続しており、
前脚はその基端部から先端部に至る略全域にわたって上方に凸形状に湾曲し、後脚の少なくとも先端部が下方に凸形状に湾曲し、これら湾曲によって脚の上下面に生じる空間を利用して、脚ベースの一対の後脚を、同一構造をなす他の点滴スタンドの前脚の下をくぐらせるようにして近接させることが可能であり、
連結部の中央部に鉛直方向に延びる支柱を上方から差込むための開口を設けたことを特徴とする点滴スタンド。
【請求項２】
前記一対の後脚の左脚の左端と右脚の右端間の寸法が、一対の前脚の左脚の右端と右脚の左端間の寸法よりも小さい請求項１記載の点滴スタンド。
【請求項３】
前記前脚、後脚、連結部は略同一の厚みを持つ扁平な楕円形断面を有する請求項１または２記載の点滴スタンド。
【請求項４】
前記脚ベースが、左右一対の前脚間に前方に開放された前の起立空間が形成され、左の前脚と左の後脚との間に左側方及び後方に開放された左の起立空間が形成され、右の前脚と右の後脚との間に右側方及び後方に開放された右の起立空間が形成されるように構成されたものである請求項１、２又は３記載の点滴スタンド。
【請求項５】
左右一対の前脚同士の間又は左右一対の後脚同士の間に、これらを接続し上面が略平面形状をなす踏み板を設けたことを特徴とする請求項１、２、３又は４記載の点滴スタンド。
【請求項６】
前記キャスタが鉛直軸周りに回転可能であるものであって、前記前脚及び後脚の先端部が、キャスタの回転範囲よりも外方に位置している請求項１、２、３、４又は５記載の点滴スタンド。
【請求項７】
前記一対の前脚が左右方向に拡開しながら下方に延びる請求項１、２、３、４、５又は６記載の点滴スタンド。
【請求項８】
前記脚ベースの脚が、左の前脚と、この左の前脚と対をなす右の前脚と、左の後脚と、この左の後脚と対をなす右の後脚との４本のみである請求項２記載の点滴スタンド。
【発明の詳細な説明】
【技術分野】
【０００１】
本発明は、病院等に用いられるものであって、移動可能な脚ベースに支柱を支持させ、その支柱に輸液パックを掛けるための輸液フックを設けてなる点滴スタンドに関する。
【背景技術】
【０００２】
従来より、病院内や診療所内において、点滴を受けている間でも病院内や診療所内を移動することができるようにするための点滴スタンドに対する要望が存在する。この要望に対応すべく、移動可能な脚ベースに支柱を支持させ、その支柱に輸液パックを掛けるための輸液フックを設けてなる点滴スタンドが用いられてきている（例えば、特許文献１を参照）。
【０００３】
ここで、このような点滴スタンドの脚ベースをベッドの下方の隙間に挿入させることによりベッドに接近させて使用する要望が存在する。より小さな隙間に挿入させることができるようにするためには、脚ベースの高さ寸法を小さくすればよく、そのためには脚ベースの脚及び連結部の厚さ寸法を小さくすることが望ましい。
【０００４】
ところが、単に脚ベースの脚及び連結部の厚さ寸法を小さくした場合、脚、連結部又はそれらの境界に屈曲点等の応力集中箇所が存在すると、脚ベースが構造体等に衝き当たって衝撃を受けた際に、衝撃に伴う作用が応力集中箇所に働き脚ベースが破損する不具合が発生しうる。
【先行技術文献】
【特許文献】
【０００５】
【特許文献１】特開２００６−２３０４７９号公報
【発明の概要】
【発明が解決しようとする課題】
【０００６】
本発明は以上の点に着目し、脚ベースの脚及び連結部の厚さ寸法を小さくしてより小さな隙間に挿入させることができるようにしつつ、脚ベースの強度を確保することを目的とする。
【課題を解決するための手段】
【０００７】
すなわち本発明の点滴スタンドは、移動可能な脚ベースに支柱を支持させ、その支柱に輸液パックを取付けるための取付部を設けてなる点滴スタンドであって、前記脚ベースが、前下方に延びるとともに前端部にキャスタを有する左右一対の前脚と、後下方に延びるとともに後端部にキャスタを有する左右一対の後脚と、前記前脚と後脚とを一体に連続させる連結部とを有し、前脚、前脚、後脚、連結部の上面が滑らかに連続しているとともに、前脚、後脚、連結部の下面も滑らかに連続しており、前脚はその基端部から先端部に至る略全域にわたって上方に凸形状に湾曲し、後脚の少なくとも先端部が下方に凸形状に湾曲し、これら湾曲によって脚の上下面に生じる空間を利用して、脚ベースの一対の後脚を、同一構造をなす他の点滴スタンドの前脚の下をくぐらせるようにして近接させることが可能であり、連結部の中央部に鉛直方向に延びる支柱を上方から差込むための開口を設けたことを特徴とする。
【０００８】
このようなものであれば、脚ベースに応力が集中する箇所がないので、前脚、後脚及び連結部の厚さ寸法を小さくしても脚ベースの強度を確保できる。
また、前脚はその基端部から先端部に至る略全域にわたって上方に凸形状に湾曲し、後脚の少なくとも先端部が下方に凸形状に湾曲し、これら湾曲によって脚の上下面に生じる空間を利用して、脚ベースの一対の後脚を、前脚の下をくぐらせるようにして近接させることが可能であるので、前脚の下方に同一構造を有する他の点滴スタンドの後脚を位置付けることにより同一構造を有する点滴スタンド同士を前後方向に近接させることができ、従って、限られた収納スペースにより多くの点滴スタンドを収納できる。
【０００９】
このような点滴スタンドの脚ベースの構成の一つとして、前記一対の後脚の左脚の左端と右脚の右端間の寸法が、一対の前脚の左脚の右端と右脚の左端間の寸法よりも小さいものが挙げられる。
【００１０】
限られた収納スペースにより多くの点滴スタンドを収納できるようにするための構成として、前記前脚、後脚、連結部は略同一の厚みを持つ扁平な楕円形断面を有するものが挙げられる。
【００１１】
このような点滴スタンドに使用者が近接した状態で使用できるようにするための構成として、前記脚ベースが、左右一対の前脚間に前方に開放された前の起立空間が形成され、左の前脚と左の後脚との間に左側方及び後方に開放された左の起立空間が形成され、右の前脚と右の後脚との間に右側方及び後方に開放された右の起立空間が形成されるように構成されたものが挙げられる。また、このような構成によれば、使用者が前の起立空間内に起立してこの点滴スタンドを前方から後方に向けて移動させる態様と、使用者が左又は右の起立空間内に起立してこの点滴スタンドを後方から前方に向けて移動させる態様とを選択できる。
【００１２】
使用者がこの点滴スタンドを静止させる際にこの点滴スタンドを安定して静止させることができるようにするための構成として、左右一対の前脚同士の間又は左右一対の後脚同士の間に、これらを接続し上面が略平面形状をなす踏み板を設けたものが挙げられる。このような構成によれば、踏み板の上面が略平面形状をなすので、前脚及び後脚がどのようなものであっても、使用者がこの点滴スタンドを静止させる際に使用者が踏み板に体重をかけることにより、この点滴スタンドを安定して静止させることができる。
【００１３】
そして、前記キャスタが鉛直軸周りに回転可能であるものであって、前記前脚及び後脚の先端部が、キャスタの回転範囲よりも外方に位置しているものであれば、点滴スタンドを移動させる際に、キャスタに優先して前脚及び後脚の先端部が壁体等に衝き当たるので、前脚及び後脚の先端部をバンパーとして機能させることができる。
加えて、本発明に係る脚ベースの構成の例として、前記一対の前脚が左右方向に拡開しながら下方に延びるものや、脚が、左の前脚と、この左の前脚と対をなす右の前脚と、左の後脚と、この左の後脚と対をなす右の後脚との４本のみであるものも挙げられる。
【発明の効果】
【００１４】
本発明によれば、脚ベースに応力が集中する箇所がないので、脚ベースの脚及び連結部の厚さ寸法を小さくしてより小さな隙間に挿入させることができるようにしつつ、脚ベースの強度を確保することができる。
【図面の簡単な説明】
【００１５】
【図１】本発明の一実施形態に係る点滴スタンドを示す全体斜視図。
【図２】同実施形態に係る点滴スタンドを示す正面図。
【図３】同実施形態に係る点滴スタンドを示す左側面図。
【図４】同実施形態に係る点滴スタンドを示す平面図。
【図５】図２におけるＡ−Ａ断面図。
【図６】図２におけるＢ−Ｂ断面図。
【図７】図２における要部を破断して示す図。
【図８】同実施形態に係る輸液フックの取付態様を示す分解斜視図。
【図９】同実施形態に係る点滴スタンドのネスティング態様を示す図。
【図１０】同実施形態に係る点滴スタンドのネスティング態様を示す図。
【発明を実施するための形態】
【００１６】
以下本発明の一実施形態を、図１〜図１０を参照して説明する。
【００１７】
この点滴スタンドＳは、図１〜図４に示すように、移動可能な脚ベース１に支柱２を支持させ、その支柱２に輸液パックＰを掛けるための輸液パック保持部である輸液フック３及び左右両側及び前側からそれぞれ把持可能なハンドル４を設けてなる。なお、図２及び図３においては、支柱２を一部省略して示している。
【００１８】
脚ベース１は、図１〜図６に示すように、キャスタ１１と、キャスタ１１を支持する支持部材１２とを具備してなる。この脚ベース１は、全体が樹脂材料で一体成形されている。前記支持部材１２は、樹脂により一体に成形されたもので、前記支柱２を支持するための左右方向に延びる連結部１２１と、この連結部１２１の左右両端から前下方に延びるとともに前端部すなわち先端部１２２ａに前記キャスタ１１が取り付けられる左右に対をなす２本の前脚１２２と、前記連結部１２１の中間部から後下方に延びるとともに後端部すなわち先端部１２３ａに前記キャスタ１１が取り付けられる左右に対をなす２本の後脚１２３と、左右の後脚１２３間を接続し上面１２４ａが略平面形状をなす踏み板１２４を備えており、平面視略Ｈ字状をなしている。前記連結部１２１の中央には、前記支柱２が立設されている。これら連結部１２１、前脚１２２及び後脚１２３の上面１２１ｓ、１２２ｓ、１２３ｓは滑らかに連続しているとともに、前記連結部１２１、前脚１２２及び後脚１２３の下面１２１ｔ、１２２ｔ、１２３ｔも滑らかに連続している。この支持部材１２の高さ寸法ｈ１は、一般的な病室用ベッド下方の隙間に挿入可能な大きさに設定されている。また、この脚ベース１は、左の後脚の左端と右の後脚の右端と間の寸法ｗ２を、左の前脚の右端と右の前脚の左端と間の寸法ｗ１よりも小さく設定してある。さらに、この脚ベース１は、前側の左右のキャスタ１１間に前方に開放された前の起立空間１ｓ１が形成され、前側の左のキャスタ１１と後側の左のキャスタ１１との間、すなわち左の前脚１２２と左の後脚１２３との間に左側方及び後方に開放された左の起立空間１ｓ２が形成され、前側の右のキャスタ１１と後側の右のキャスタ１１との間、すなわち右の前脚１２２と右の後脚１２３との間に右側方及び後方に開放された右の起立空間１ｓ３が形成されるように構成されたものである。すなわち、前脚１２２、後脚１２３の先端部１２２ａ、１２３ａ以外の部分が、少なくとも前側の左のキャスタ１１と後側の左のキャスタ１１とを結ぶ直線、前側の右のキャスタ１１と後側の右のキャスタ１１とを結ぶ直線よりも内側に位置している。また、前脚１２２の先端部１２２ａ以外の部分が、前側の左のキャスタ１１と前側の右のキャスタ１１とを結ぶ直線よりも内側に位置している。具体的には、前記脚ベース１は、先端にキャスタ１１を有した左右１対の前脚１２２及び左右１対の後脚１２３を有し、前側のキャスタ１１を支持する２本の前脚１２２及び後側のキャスタ１１を支持する２本の後脚１２３がそれぞれ平面視において先端側が拡開するハの字状に配されている。また、前脚１２２はその基端部１２２ｂから先端部１２２ａに至る略全域にわたって上方に凸形状に湾曲し、後脚１２３はその基端部１２３ｂから先端部１２３ａに至る略全域にわたって下方に凸形状に湾曲している。その上で、これら湾曲によって脚１２２、１２３の上下面に生じる空間を利用して、脚ベース１の一対の後脚１２３を、前脚１２２の下をくぐらせるようにして近接させることを可能に構成してある。すなわち、前脚１２２の下に同一構造をなす他の点滴スタンドＳの後脚１２３を通過させることが可能な空間が形成されるように構成されている。この構成によって、複数の点滴スタンドＳをネスティングすることができるようにしてある。複数の点滴スタンドＳをネスティングさせた際の構成については後述する。前記前の起立空間１ｓ１は、平面視において前方に開放されたもので、この点滴スタンドＳの前側に起立した使用者Ｕが当該点滴スタンドＳを後方に、すなわち使用者Ｕの進行方向に押しながら歩行することが可能な大きさに設定されている。前記左の起立空間１ｓ２は、平面視において左側方及び後方に開放されたもので、この点滴スタンドＳの左側に起立した使用者Ｕが当該点滴スタンドＳを前方に押しながら歩行することが可能な大きさに設定されている。前記右の起立空間１ｓ３は、平面視において右側方及び後方に開放されたもので、この点滴スタンドＳの右側に起立した使用者Ｕが当該点滴スタンドＳを前方に押しながら歩行することが可能な大きさに設定されている。そして、前記支持部材１２を構成する２本の前脚１２２の下に、前記前の起立空間１ｓ１及び前記左右の起立空間１ｓ２、１ｓ３にそれぞれ連通する蹴り込み空間１ｓ４が形成されている。この蹴り込み空間１ｓ４は、正面視、側面視及び背面視において視認可能に開口したもので、その高さ寸法ｈ２は、一般的な体格を有する成人のつま先が歩行中に進入可能な大きさに設定されている。一方、前記キャスタ１１は、双輪タイプのもので、その幅寸法はエレベータと該エレベータの乗り口との間の隙間の幅寸法よりも大きい。具体的には、前記キャスタ１１の幅寸法は３０ｍｍ以上であることが望ましく、本実施形態では６０ｍｍに設定されている。また、前記キャスタ１１はいずれも鉛直軸周りに回転可能であり、このキャスタ１１の回転範囲は全域にわたって該キャスタ１１が取り付けられる前記前脚１２２又は後脚１２３の先端部１２２ａ、１２３ａの下方の空間内である。換言すれば、前記前脚１２２又は後脚１２３の先端部１２２ａ、１２３ａは、キャスタ１１の回転範囲よりも外方に位置している。加えて、前記連結部１２１の中央部には、鉛直方向に延びる支柱２を上方から差込むための開口１２１ｘを設けている。この連結部１２１の下方、より詳細にはこの開口１２１ｘの下方から下方に延伸させて、有底の筒状をなす支柱取付部１３を脚ベース１２と一体に設けている。そして、この支柱取付部１３の内部に、支柱２の下端部を収納するようにしている。加えて、前記踏み板１２４の後部には、円弧状の切欠き１２４ｂを設けている。また、この支持部材１２は、全体にわたって厚さ寸法を略均一とすることにより成形を行う際の冷却工程において形がひずむのを防ぐべく、図１０に示すように、底面にリブ１２ｒを設けている。このリブ１２ｒの厚さ寸法と、支持部材１２の外周、踏み板１２４の前端縁及び踏み板１２４の後端縁をそれぞれ形成する周壁の厚さ寸法と、前記リブ１２ｒ及び周壁を設けていない箇所の肉厚とは略同一に設定している。その上で、後述するように、特定の点滴スタンドＳ（１）の前方に同一構造をなす他の点滴スタンドＳ（２）をネスティングさせた際に、特定の点滴スタンドＳ（１）の一部、より具体的には支柱取付部１３が他の点適スタンドＳ（２）の踏み板１２４の切欠き１２４ｂの内部に配されるようにしている。
【００１９】
前記支柱２は、伸縮可能なもので、図１〜図３及び図７に示すように、前記脚ベース１に立設された下部要素２１と、この下部要素２１に上下スライド可能に嵌め合わされ前記輸液フック３を支持する上部要素２２とを備えたものである。前記下部要素２１は、脚ベース１の前記中心フレーム１２１に立設された金属パイプ材製のものである。前記上部要素２２は、前記下部要素２１の内周にスライド可能に嵌合された金属パイプ材製のものである。この上部要素２２を緊締機構２３により前記下部要素２１に対して上下位置変更可能に固定している。この緊締機構２３は、前記輸液フック３よりも下方に位置する部位に設けられている。前記緊締機構２３は、図７に示すように、前記支柱２に設けられた雌ねじ２３１ａを有するフレーム２３１と、このフレーム２３１の雌ねじ２３１ａに螺着された雄ねじ２３２ａを有するグリップ２３２と、前記雄ねじ２３２ａが外部に露出することを防止するカバー２３３とを具備する。換言すれば、前記緊締機構２３は、前記支柱２の下部要素２１の上端部に設けられた雌ねじ２３１ａを有するフレーム２３１と、このフレーム２３１の雌ねじ２３１ａに螺着されその先端で上部要素２２の外周を押し付けることによりこの上部要素２２を前記下部要素２１に固定するための雄ねじ２３２ａを有するグリップ２３２と、前記雄ねじ２３２ａが外部に露出することを防止するカバー２３３とを具備する。前記フレーム２３１は、前記支柱２の下部要素２１の上端部２１ａと、この上端部２１ａに外嵌させた合成樹脂製の外嵌部材２３１ｂとを備えてなるもので、前記下部要素２１の上端部２１ａ及び外嵌部材２３１ｂのいずれか一方に雌ねじ２３１ａを有している。前記グリップ２３２は、前記雄ねじ２３２ａを保持する軸部２３２ｂと、この軸部２３２ｂに回転力を付与するための把持部２３２ｃと、この把持部２３２ｃと前記軸部２３２ｂの外面とを滑らかに連続させる中間部２３２ｄとを備えたものである。すなわちこの中間部２３２ｄは、軸部２３２ｂから把持部２３２ｃに向かって漸次径が増大する曲面形状をなしている。前記カバー２３３は、前記フレーム２３１に設けられ前記グリップ２３２の軸部２３２ｂの外周に相対回転可能に外嵌する筒状のものである。具体的には、このカバー２３３は、前記フレーム２３１の外嵌部材２３１ｂと一体に形成された薄肉円筒体状のもので、このカバー２３３の外周面２３２ａと前記グリップ２３２の中間部２３２ｄの外周面２３２ｄ１とが大きな段差を伴うことなく略連続するように構成されている。そして、この支柱２の上端には、各輸液フック３に掛けられた輸液パックＰ同士が干渉しないように複数の前記輸液フック３が放射状に設けられている。この実施形態においては、４本の前記輸液フック３を着脱自在に取り付けることができるようになっているが、図面では２本の輸液フック３を装着した状態を示している。
【００２０】
前記各輸液フック３は、図１及び図２に示すように、支柱２に設けたフック取付部材５から外方に延出する延出桿３１と、この延出桿３１の延出端部に設けられたフック本体３２とを備えている。これら延出桿３１と前記フック本体３２とは、連続した細長い素材により作られたものであり、同一平面に沿って配置されている。前記フック本体３２は、前記延出桿３１の延出端に連続して設けられ上下方向に延びる上下延出部３２１と、この上下延出部３２１の延出端に連続して設けられ支柱２側に折り返す折り返し部３２２とを具備してなり、その折り返し部３２２の先端３２２ｘと前記延出桿３１との間に形成される開口３ｓが、支柱２側から輸液パックＰを挿脱し得る方向に開放されている。前記上下延出部３２１は、延出桿３１の延出端から下方に垂下するもので、病室で一般的に用いられているカーテンの網目の寸法よりも大きな上下方向寸法ｈ３を有している。前記折り返し部３２２は、上下延出部３２１の延出端に連続して設けられ前記輸液パックＰを掛け止める略Ｕ字状をなす掛け止め部分３２２ａと、この掛け止め部分３２２ａから連続して上方に延びる上向き部分３２２ｂと、この上向き部分３２２ｂの上端に連続して設けられ支柱２に向かって延びる先端部分３２２ｃとを備えたものであり、この先端部分３２２ｃと前記延出桿３１との間に輸液パックＰを挿脱するための開口３ｓが形成されている。前記折り返し部３２２の先端３２２ｘは、支柱２に向けて延出している。すなわち、前記折り返し部３２２の先端部分３２２ｃは、前記延出桿３１と平行である。前記延出桿３１は、図８に示すように、その基端に下方に屈曲して垂下する垂下部３１１を備えている。前記フック取付部材５は、支柱２の上端部に装着されたもので、その上面に、中心ボルト挿通孔５１と、この中心ボルト挿通孔５１の近傍から放射状に形成された複数本の延出桿保持溝５２と、これら各延出桿保持溝５２の基端に連続させて設けられた縦穴５３とが設けられている。前記延出桿３１は、その垂下部３１１を前記縦穴５３に挿入するとともに、その垂下部３１１に連続する基端部３１２を前記延出桿保持溝５２に嵌め合わせることによりフック取付部材５に保持されるようになっている。なお、フック取付部材５の上面には、前記中心ボルト挿通孔５１に対応する中心孔６１と、前記延出桿保持溝５２に対応する保持溝６２とを有したキャップ６が装着されるようになっており、このキャップ６の中心孔６１と前記フック取付部材５の中心ボルト挿通孔５１に挿通させたボルト６３を支柱２の内部に固設した図示しないナットに螺着することにより前記各延出桿３１を前記フック取付部材５に固定するようにしてある。以上のような輸液フック３の下方に、手を掛けることができるハンドル４を設けている。
【００２１】
前記ハンドル４は、図１〜図５に示すように、支柱２を囲う環状のハンドル本体４１と、このハンドル本体４１を支柱２に支持させるためのボス部４２とを備えてなる。このハンドル４は、左右両側及び前側からそれぞれ把持可能であり、このハンドル本体４１の内周面４１ａ側に全周に亘って連続した環状空間を形成している。本実施形態では、前記ハンドル本体４１の内周面４１ａ、上面４１ｂ及び外周面４１ｃが全周に亘って途切れることなく連続している。前記ハンドル本体４１は、環状をなす持ち手部４１１と、この持ち手部４１１の下面４１１ａと前記ボス部４２とを連結する連結部４１２とを備えており、その上面４１ｂが略水平となるように前記支柱２に取り付けられている。前記持ち手部４１１は、平面視において長軸を左右方向に向けて支柱２に取り付けられた楕円形状をなし、その断面形状は手を掛けやすくすべく略円形状に設定されている。前記環状空間は、この持ち手部４１１の内周に沿って環状をなすように連続したものである。前記連結部４１２は、前記持ち手部４１１の左右両端の下面４１１ａからそれぞれ前記ボス部４２に向かい延びる帯状のもので、持ち手部４１１に手を掛けた際に手と干渉しにくい位置に配している。前記ボス部４２は平面視において前記持ち手部４１１の中心に位置されている。このボス部４２は、支柱２に対して上下方向に取付位置を変更可能に取り付けられており、このハンドル４のボス部４２を緊締機構４３により前記支柱２に対して上下位置変更可能に固定している。この緊締機構４３は、前記ハンドル４の持ち手部４１１よりも下方に位置する部位に設けられている。前記緊締機構４３は、前記ハンドル４のボス部４２により構成される雌ねじを有するフレーム４３１と、このフレーム４３１の雌ねじに螺着された雄ねじを有するグリップ４３２と、前記雄ねじが外部に露出することを防止するカバー４３３とを具備する。この緊締機構４３は、前述した支柱２の上部要素２２を下部要素２１に固定するための緊締機構２３に準じた構成をなすものであるため、図示及び詳細な説明は省略する。
【００２２】
ここで、この点滴スタンドＳをネスティングさせた場合の構成を図９及び図１０を参照しつつ以下に示す。特定の点滴スタンドＳ（１）のハンドル４と、この特定の点滴スタンドＳ（１）と同一構造をなす他の点滴スタンドＳ（２）のハンドル４との上下方向相対位置は、持ち手部４１１の上下方向寸法以上異なる。また、特定の点滴スタンドＳ（１）の前脚１２２の下方に形成された蹴り込み空間１ｓ４を他の点滴スタンドＳ（２）の後脚１２３が通過している。このとき、特定の点滴スタンドＳ（１）の支柱２に他の点滴スタンドＳ（２）のハンドル４の持ち手部４１１が接近又は当接しているとともに、特定の点滴スタンドＳ（１）の支柱取付部１３が他の点滴スタンドＳ（２）の踏み板１２４の切欠き１２４ｂの内部に配されている。なお、図１０においては、キャスタ１１、支柱２、輸液フック３及びハンドル４は省略して示している。
【００２３】
なお、以上の実施形態において、前後左右の概念は説明の便宜上用いたものであり、使用者Ｕの使用方向を規定するものではない。
【００２４】
以上に述べたように、本実施形態の構成によれば、連結部１２１、前脚１２２及び後脚１２３の上面１２１ｓ、１２２ｓ、１２３ｓを滑らかに連続させているとともに、連結部１２１、前脚１２２及び後脚１２３の下面１２１ｔ、１２２ｔ、１２３ｔも滑らかに連続させているので、脚ベース１に応力が集中する箇所がなく、従って、前脚１２２、後脚１２３及び連結部１２１の厚さ寸法を小さくしつつ脚ベース１の強度を確保できる。
【００２５】
また、前記一対の前脚１２２が左右方向に拡開しながら下方に延び、前記一対の後脚１２３の左脚の左端と右脚の右端間の寸法ｗ２が、一対の前脚１２２の左脚の右端と右脚の左端間の寸法ｗ１よりも小さく、特定の点滴スタンドＳ（１）の脚ベース１に対してその前方から、同一構造を有する他の点滴スタンドＳ（２）の脚ベース１の一対の後脚１２３を、下をくぐらせるようにして近接させることが可能であるので、点滴スタンドＳ同士を前後方向にネスティングさせることができる。従って、限られた収納スペースにより多くの点滴スタンドＳを収納できる。
【００２６】
さらに、前記前脚１２２、後脚１２３、連結部１２１が略同一の厚みを持つ扁平な楕円形断面を有し、前脚１２２はその基端部から先端部に至る略全域にわたって上方に凸形状に湾曲し、後脚１２３はその基端部から先端部に至る略全域にわたって下方に凸形状に湾曲し、これら湾曲によって脚１２２、１２３の上下面に生じる空間を利用して、脚ベース１の一対の後脚１２３を、前脚１２２の下をくぐらせるようにして近接させることが可能であるので、特定の点滴スタンドＳ（１）の前脚１２２の下方に同一構造を有する他の点滴スタンドＳ（２）の後脚１２３を位置付けることにより同一構造を有する点滴スタンドＳ同士を前後方向に近接させることができる。従って、この点からも限られた収納スペースにより多くの点滴スタンドを収納できる。
【００２７】
加えて、前記脚ベース１の左右一対の前脚１２２間に前方に開放された前の起立空間１ｓ１が形成され、この脚ベース１の左の前脚１２２と左の後脚１２３との間に左側方及び後方に開放された左の起立空間１ｓ２が形成され、さらにこの脚ベース１の右の前脚１２２と右の後脚１２３との間に右側方及び後方に開放された右の起立空間１ｓ３が形成されるようにしているので、このような点滴スタンドＳに使用者Ｕが近接した状態で使用できる。また、このような構成によれば、使用者Ｕが前の起立空間１ｓ１内に起立してこの点滴スタンドＳを前方から後方に向けて移動させる態様と、使用者が左又は右の起立空間１ｓ２、１ｓ３内に起立してこの点滴スタンドＳを後方から前方に向けて移動させる態様とを選択できる。
【００２８】
また、左右一対の後脚１２３同士の間に、これらを接続し上面が略平面形状をなす踏み板１２４を設けているので、使用者Ｕがこの点滴スタンドＳを静止させる際に使用者Ｕが略平面形状である踏み板１２４の上面に体重をかけることにより、この点滴スタンドＳを安定して静止させることができる。加えて、前記踏み板１２４の上面に体重をかけた状態で前脚１２２を浮かせて点滴スタンドＳを前方に移動させることにより、段差を乗り越えることもできる。その上、本実施形態では、この踏み板１２４の後部に切欠き１２４ｂを設け、特定の点滴スタンドＳ（１）の前方に同一構造を有する他の点滴スタンドＳ（２）をネスティングさせた際に、前記特定の点滴スタンドＳ（１）の支柱取付部１３が他の点滴スタンドＳ（２）の切欠き１２４ｂの内部に配されるようにしているので、互いに隣接する点滴スタンドＳ（１）、Ｓ（２）間の位置決めを行うことができるとともに、複数台の点滴スタンドＳをネスティングさせたままの状態で移動させる場合において点滴スタンド間の相対位置を安定して維持させることができる。
【００２９】
そして、前記キャスタ１１が鉛直軸周りに回転可能であるとともに、前記前脚１２２又は後脚１２３の先端部１２２ａ、１２３ａは、キャスタ１１の回転範囲よりも外方に位置しているので、点滴スタンドＳを移動させる際に、キャスタ１１に優先して前脚１２２及び後脚１２３の先端が壁体等に衝き当たる。従って、前脚１２２及び後脚１２３の先端部をバンパーとして機能させることができる。
【００３０】
加えて、本実施形態では、連結部１２１から下方に延びる有底筒状の支柱取付部１３を設け、脚ベース１の全体を樹脂材料で一体成形しているので、少ない部品点数で支柱２を安定して支持させることができる脚ベース１を実現できる。
【００３１】
なお、本発明は以上に述べた実施形態に限らない。
【００３２】
例えば、上述した実施形態では左右一対の後脚同士の間にこれらを接続し上面が略平面形状をなす踏み板を設けているが、左右一対の前脚同士の間にこれらを接続し上面が略平面形状をなす踏み板を設けてもよく、また、踏み板を省略してもよい。
【００３３】
また、上述した実施形態では前記一対の後脚の左脚の左端と右脚の右端間の寸法を一対の前脚の左脚の右端と右脚の左端間の寸法よりも小さくしているが、このような形状でなくとも、前脚の下方に同一構造を有する他の点滴スタンドの脚ベースの後脚を位置付けることが可能であれば、限られた収納スペースに多数の点滴スタンドを収納させるべく点滴スタンド間をある程度近接させることはできる。
【００３４】
さらに、脚ベースの一対の後脚を、前脚の下をくぐらせるようにして近接させることが可能なものであれば、前脚及び後脚の形状は任意のものを採用してよい。
【００３５】
加えて、上述した実施形態では、利用者を点滴スタンドに大きく近接させることができるようにすべく、脚ベースを、左右一対の前脚間に前方に開放された前の起立空間が形成され、左の前脚と左の後脚との間に左側方及び後方に開放された左の起立空間が形成され、右の前脚と右の後脚との間に右側方及び後方に開放された右の起立空間が形成されるように構成しているが、利用者を点滴スタンドに大きく近接させる必要がない場合にはこれ以外の前脚及び後脚の配置を採用してももちろんよい。
【００３６】
そして、前脚及び後脚の進行方向側先端をキャスタよりも進行方向側に位置させるための構成としては、上述した実施形態に係るもの以外に、例えば前脚又は後脚の先端部がキャスタの回転可動範囲のどの位置にあってもキャスタの上方に前脚又は後脚が存在する形状を採用してもよい。その一方で、前脚又は後脚の先端側に別途バンパーを設ける態様を採用することも考えられる。
【００３７】
その他、本発明の趣旨を損ねない範囲で種々に変形してよい。
【符号の説明】
【００３８】
Ｓ…点滴スタンド
１…脚ベース
１１…キャスタ
１２１…連結部
１２１ｘ…開口
１２２…前脚
１２３…後脚
１２４…踏み板
１ｓ１…前の起立空間
１ｓ２…左の起立空間
１ｓ３…右の起立空間
２…支柱
３…輸液フック
【図１】
0005857387.tif 000002
【図２】
0005857387.tif 000003
【図３】
0005857387.tif 000004
【図４】
0005857387.tif 000005
【図５】
0005857387.tif 000006
【図６】
0005857387.tif 000007
【図７】
0005857387.tif 000008
【図８】
0005857387.tif 000009
【図９】
0005857387.tif 000010
【図１０】
0005857387.tif 000011